(57)【要約】【課題】この考案の目的は、ほこりや汚れが付着しにくく、しかも、それらが付着したとしても、簡単に取り除けるとともに、多様な用途にも応じることができるディスプレイ具を提供することである。【解決手段】  平面的な、天井壁部１１、底面壁部１２、正面壁部１３、背面壁部１４、両側面壁部１５，１６で周囲を覆った本体Ｂと、この本体Ｂ内に一体的に設けた筒部１７とからなり、この筒部１７に旗１８などの支持棒１９を挿入する構成にしている。このように本体Ｂの周囲を平面形状にすることによって、ほこりや汚れが着きにくく、たとえそれが着いたとしても、簡単に取り除くことができる。また、本体Ｂの周囲を覆っているので、その覆った面に掛け止め補助具を自由に固定することができる。【選択図】  図２
0003117180.tif 000002
【実用新案登録請求の範囲】
【請求項１】
平面的な、天井壁部、底面壁部、正面壁部、背面壁部、両側面壁部で周囲を覆った本体と、この本体内に一体的に設けた筒部とからなり、この筒部に旗などの支持棒を挿入する構成にしたディスプレイ具。
【請求項２】
側面壁部に掛け止め補助手段を一体成形した請求項１記載のディスプレイ具。
【請求項３】
側面壁部に掛け止め補助手段を着脱自在に設けた請求項１記載のディスプレイ具。
【請求項４】
上記掛け止め補助手段には、かぎ部を構成し、連結部材を強制的にはめ入れる構成にした請求項２及び３記載のディスプレイ具。
【考案の詳細な説明】
【技術分野】
【０００１】
この考案は、例えば、陳列棚や陳列ケース、あるいは遊技台等に、宣伝や装飾あるいは消費誘因を目的とした旗を取り付けるためのディスプレイ具に関する。
【背景技術】
【０００２】
この種のディスプレイ具として、図９、１０に示したものが従来から知られている。この従来のディスプレイ具は、天井片１と底面片２とを連結片３で連結して本体ｂを構成するとともに、天井片１に対して底面片２の長さを短くして、連結片３を傾斜させている。そして、この傾斜させた連結片３には、両面テープ等からなる接着手段４を設けている。
【０００３】
上記のようにした本体ｂであって、上記天井片１および底面片２との間に筒部５を設けるとともに、この筒部５の上端開口を、天井片１の上方に突出させている。このようにした筒部５は、天井片１および底面片２に対して直角になるようにしている。言い換えると、上記連結片３はこの筒部５に対して傾斜するようにしている。
【０００４】
したがって、接着手段４を介して、上記連結片３を垂直な壁面に接着すると、上記筒部５が、上記垂直な壁面に対して斜めになる。このように垂直な壁面に対して斜めになった筒部５に、例えば、宣伝や装飾あるいは消費誘因を目的とした旗６の支持棒７を挿入すれば、この旗６は、上記垂直な壁面から前方上方に向かって掲げられることになる。
なお、本件に関し、特に文献調査はしていない。
【考案の開示】
【考案が解決しようとする課題】
【０００５】
上記のようにした従来のディスプレイ具では、それを長い間使っていると、例えば、底面片２にほこりや汚れが付着するが、表面形状が複雑なために、それらほこりや汚れを取り除きにくいという問題があった。特に、ディスプレイ具は、人目に触れて初めて効果を発揮するが、それがほこりや汚れが付着していたのでは、その効果が半減してしまうどころか、逆効果になりかねない。
したがって、上記のようにほこりや汚れが付着してそれを取り除けないということは、ディスプレイ具として致命的な欠点になる。
【０００６】
この考案の目的は、ほこりや汚れが付着しにくく、しかも、それらが付着したとしても、簡単に取り除けるとともに、多様な用途にも応じることができるディスプレイ具を提供することである。
【課題を解決するための手段】
【０００７】
第１の考案は、平面的な、天井壁部、底面壁部、正面壁部、背面壁部、両側面壁部で周囲を覆った本体と、この本体内に一体的に設けた筒部とからなり、この筒部に旗などの支持棒を挿入する構成にした点に特徴を有する。
第２の考案は、側面壁部に掛け止め補助手段を一体成形した点に特徴を有する。
第３の考案は、側面壁部に掛け止め補助手段を着脱自在に設けた点に特徴を有する。
第４の考案は、上記掛け止め補助手段にかぎ部を構成し、連結部材を強制的にはめ入れるようにした点に特徴を有する。
【考案の効果】
【０００８】
第１の考案によれば、本体の周囲を各壁部で覆ったので、本体の表面における凹凸をほとんどなくすことができる。このように本体の凹凸をなくせるので、ほこりや汚れが付着しにくく、たとえ、それが付着したとしてもそれを簡単に取り除くことができる。したがって、第１の考案のディスプレイ具は、きれいにした状態に保つことができ、常に、宣伝や装飾あるいは消費誘因という本来の目的を達成することができる。
【０００９】
第２の考案によれば、本体の周囲を各壁部で覆ったので、本体に掛け止め補助手段を成形することができ、一つの本体に、いくつもの旗や装飾体を取り付けることができる。このように旗や装飾体が多くなれば、その分、宣伝や装飾あるいは消費誘因に関して大きな効果を期待できることになる。しかも、宣伝あるいは装飾に関するデザインの自由度も増すことになる。
第３の考案によれば、掛け止め補助手段を着脱自在に取り付け可能としたので、用途に応じた最適な使用態様を選択でき、かつ、ほこりや汚れが付着したとしても、それをより簡単に取り除くことができる。
第4の考案によれば、用途に応じた最適な装飾を選択することができ、さらに、かぎ部と連結部材とのはめ入れ、取り外しが容易なため、頻繁に装飾の交換が可能である。
【考案を実施するための最良の形態】
【００１０】
図１〜図４に示した実施形態は、その本体Ｂを次のように構成している。すなわち、本体Ｂは、天井壁部１１と、この天井壁部１１と対向する底面壁部１２と、正面壁部１３と、この正面壁部１３に対向する背面壁部１４と、両側面壁部１５，１６とで、周囲を完全に覆っているが、これら各壁部はすべて平面的な形状にしている。ただし、上記天井壁部１１、底面壁部１２および背面壁部１４の三者は、一体に成形している。また、正面壁部１３は、図３からも明らかなように、天井壁部１１の一端と底面壁部１２の一端とに接着したものであり、両側面壁部１５，１６は、図４からも明らかなように、天井壁部１１、底面壁部１２および背面壁部１４の側面に接着したものである。そして、上記背面壁部１４は、正面壁部１３に対して傾斜させているが、それを傾斜させたことは、従来と同じである。
【００１１】
上記のようにした本体Ｂ内には、天井壁部１１および底面壁部１２と一体にし、かつ、これら天井壁部１１および底面壁部１２に対して垂直にした筒部１７を設けているが、この筒部１７の上端開口を、天井壁部１１の上方に突出させている。このようにした筒部１７には、従来と同様の旗１８の支持棒１９を挿入するものである。
なお、図中符号１４ａは、背面壁部１４に設けた両面接着テープ等からなる接着手段である。
【００１２】
さらに、図５〜図８示した実施形態は、その掛け止め補助手段２０を次のように構成している。すなわち、上記本体Ｂの両側面壁部１５，１６のそれぞれ、あるいはいずれか一方の側面壁部には、図５に示す掛け止め補助手段２０を取り付けるようにしている。この掛け止め補助手段２０は、両面テープ等の接着手段２１を設けた板部２０ａにかぎ部２０ｂを一体に設けたもので、上記接着手段２１を介して、板部２０ａを側面壁部１５，１６に接着できるようにしている。また、掛け止め補助手段は、図６に示すように、ねじ孔２０ｃを設けて、本体Ｂにねじ止めするものでも構わない。このとき、板部２０ａよりも幅を広くした突起部２０ｄを成形し、この突起部２０ｄにねじ孔２０ｃを設けるのが好ましい。ねじ孔２０ｃにねじを挿入し、ねじ止めする際に、かぎ部２０ｂが邪魔にならないようにするためである。
【００１３】
さらに、多用途に対応可能とするために、上記した掛け止め補助手段を、かぎ部２０ｂを設ける代わりに、図７に示すように、板部２０ａの上端に、平面部２０ｅを連続的に成形したものとしてもよい。このとき、平面部２０ｅは、本体Ｂに取り付けたときに、板部２０ａと本体Ｂの当接面と反対側に傾斜させる。そして、平面部２０ｅに別の掛け止め補助手段２０を設ければ、本体とは別方向にも傾斜をもたせた装飾が可能となる。
本実施例では、掛け止め補助手段２０は、本体Ｂに対して接着、ねじ止めの方法で設ける説明をしたが、本体Ｂに一体に成形しても構わない。また、その用途に応じては正面壁部１３に接着、成形してもよい。
【００１４】
また、上記かぎ部２０ｂには、例えば、上記図５に示す連結部材２２を固定するものである。この連結部材２２は、その先端凹部２２ａを上記かぎ部２０ｂに強制的にはめ入れるものである。そして、この連結部材２２にはクリップ２３を設けているが、このようにクリップ２３を設けることによって、それには宣伝や装飾あるいは消費誘因を目的としたカード等を挟むことができる。ただし、連結部材２２に設けるのは上記クリップ２３に限定されるものではない。例えば、図８に示すように、接着手段２４ａを有する平板部材２４を設け、カード等を接着装飾できるようにしてもよい。また、連結部材２２と同じものを互いに反対向きに設け、その反対向きにした連結部材にさらに旗の支持棒等を保持させるようにしてもよい。いずれにしてもこの実施形態のディスプレイ具は、本体Ｂの周囲を覆っているので、その覆った面に掛け止め補助具を自由に固定することができる。
【００１５】
なお、図１の中で符号２５は、本体Ｂの底面壁部１２に一体的に設けた掛け止め補助棒である。この掛け止め補助棒２５は、背面壁部１４と同じ角度を保って設けたもので、掛け止め補助手段２０とその目的および機能は同じである。また、掛け止め補助棒２５は、必ずしも底面壁部１２に設ける必要はなく、本体Ｂのどの面に設けてもよいものである。
【００１６】
上記のようにした掛け止め補助棒２５を、背面壁部１４と同じように傾斜させたのは、背面壁部１４を垂直な面に接着したとき、この補助棒２５が接着面に当たらないようにするとともに、この掛け止め補助棒２５に取り付けた旗１８などが垂直な接着面に当たらないようにするためである。したがって、この掛け止め補助棒２５を、他の壁部に設けるのであれば、その壁部に対してあえて傾斜させる必要はない。
【００１７】
上記のようにしたこの実施形態の本体Ｂは、その周囲がすべて平面になっているので、たとえ、その部分にほこりや汚れが着いても、それを簡単に取り除くことができる。しかも、この本体Ｂに、掛け止め補助手段２０や掛け止め補助棒２５を設けることができるので、宣伝や装飾あるいは消費誘因を目的としたいろいろな旗１８をたくさん飾り付けることができる。
【図面の簡単な説明】
【００１８】
【図１】側面図である。
【図２】斜視図である。
【図３】図２における本体のIII-III線断面図である。
【図４】図３におけるIV-IV線断面図である。
【図５】掛け止め補助手段及びクリップを示す斜視図である。
【図６】ねじ孔を有する掛け止め補助手段の斜視図である。
【図７】平面部を有する掛け止め補助手段の斜視図である。
【図８】平板部材の斜視図である。
【図９】従来のディスプレイ具を示す側面図である。
【図１０】従来のディスプレイ具を示す斜視図である。
【符号の説明】
【００１９】
Ｂ      本体
１１      天井壁部
１２      底面壁部
１３      正面壁部
１４      背面壁部
１５      側面壁部
１６      側面壁部
１７      筒部
１８      旗
１９      支持棒
２０      掛け止め補助手段
２０ｂ    かぎ部
２２      連結部材
【図１】
0003117180.tif 000003
【図２】
0003117180.tif 000004
【図３】
0003117180.tif 000005
【図４】
0003117180.tif 000006
【図５】
0003117180.tif 000007
【図６】
0003117180.tif 000008
【図７】
0003117180.tif 000009
【図８】
0003117180.tif 000010
【図９】
0003117180.tif 000011
【図１０】
0003117180.tif 000012